【手続補正書】
【提出日】平成29年3月16日(2017.3.16)
【手続補正１】
【補正対象書類名】特許請求の範囲
【補正対象項目名】全文
【補正方法】変更
【補正の内容】
【特許請求の範囲】
【請求項１】
筒状の周壁部の内側に光源部を配置するためのハウジングであって、前記周壁部の一端側の周縁部に嵌合凹部が形成されたハウジングと、
中空の外郭部の一部に開口部が形成され、前記開口部の周縁部に筒状の嵌合凸部が形成されたバルブと、
を嵌合する嵌合構造を有するランプ用のハウジング及びバルブであって、
前記嵌合構造は、
前記嵌合凹部と前記嵌合凸部とに第一の幅で複数形成される係合構造と、
前記嵌合凹部と前記嵌合凸部とに前記第一の幅より大きい第二の幅で形成される挿入構造と
を備えるランプ用のハウジング及びバルブ。
【請求項２】
筒状の周壁部の内側に光源部を配置するためのハウジングであって、前記周壁部の一端側の周縁部に形成された嵌合凹部の外側内周面部に、第一の幅で形成された複数の係合溝及び前記第一の幅より大きい第二の幅で形成された挿入溝、並びに、前記嵌合凹部の前記外側内周面部に対向する内側内周面部に、前記係合溝に対向して前記第一の幅より小さい第三の幅で形成された係合爪を有するハウジングと、
中空の外郭部の一部に開口部が形成され、前記開口部の周縁部に形成された筒状の嵌合凸部の内周面部に、前記係合爪と係合する形状に形成された係合孔を有する係合突起、及び、前記嵌合凸部の外周面部に、前記第一の幅より大きく前記第二の幅以下の幅で形成された挿入突起を有するバルブと
を備え、
前記ハウジングに前記バルブを取り付けたときに、前記挿入溝と前記挿入突起とが対向するように配置され、前記係合溝と前記係合突起とが係合するように配置されることにより、前記ハウジングと前記バルブとが嵌合するランプ用のハウジング及びバルブ。
【請求項３】
少なくとも部分的に筒状の周壁部を有し、光源部を前記周壁部の内側に配置するためのハウジングであって、前記周壁部の一端側の周縁部に等間隔に配設された４個の係合溝と、前記一端側の周縁部の中心を基準に対称の位置に配設された２個の挿入溝とを備えるハウジングと、
中空の外郭部と前記ハウジングの前記周縁部に対応する形状の開口縁部とを有し、前記ハウジングに嵌合されて前記光源部を被覆するためのバルブであって、前記開口縁部に等間隔に配設された４個の係合突起と、前記開口縁部の中心を基準に対称の位置であって、４個の前記係合突起に対する配置関係が、４個の前記係合溝に対する２個の前記挿入溝の配置関係に対応する位置に配設された２個の挿入突起とを備えるバルブとから構成され、
２個の前記挿入突起のうちの少なくとも一方の前記挿入突起の幅は、前記係合溝の幅よりも大きい、ランプ用のハウジング及びバルブ。
【請求項４】
少なくとも部分的に筒状の周壁部を有し、光源部を前記周壁部の内側に配置するためのハウジングであって、前記周壁部の一端側の周縁部に等間隔に配設された４個の係合溝と、前記一端側の周縁部の中心を基準に対称の位置以外の位置に配設された２個の挿入溝とを備えるハウジングと、
中空の外郭部と前記ハウジングの前記周縁部に対応する形状の開口縁部とを有し、前記ハウジングに嵌合されて前記光源部を被覆するためのバルブであって、前記開口縁部に等間隔に配設された４個の係合突起と、前記開口縁部の中心を基準に対称の位置以外の位置であって、２個の前記挿入溝の配置関係に対応する位置に配設された２個の挿入突起とを備えるバルブとから構成される、ランプ用のバルブ及びハウジング。
【請求項５】
前記係合溝は前記ハウジングと前記バルブとの掛止め用の溝であり、前記係合突起は前記ハウジングと前記バルブとの掛止め用の突起であり、前記挿入溝は前記ハウジングと前記バルブとの位置決め用の溝であり、前記挿入突起は前記ハウジングと前記バルブとの位置決め用の突起である請求項２乃至４のいずれか一項に記載のランプ用のハウジング及びバルブ。
【請求項６】
前記ハウジングは、絶縁材料により形成されている請求項１乃至５のいずれか一項に記載のランプ用のバルブ及びハウジング。
【請求項７】
光源部と、
少なくとも部分的に筒状の周壁部を有し、前記光源部を前記周壁部の内側に配置するためのハウジングであって、前記周壁部の一端側の周縁部に等間隔に配設された４個の係合溝と、前記一端側の周縁部の中心を基準に対称の位置に配設された２個の挿入溝とを備えるハウジングと、
前記ハウジング内に形成され、前記光源部が取り付けられる光源取付部と、
中空の外郭部と前記ハウジングの前記周縁部に対応する形状の開口縁部とを有し、前記ハウジングに嵌合されて前記光源部を被覆するためのバルブであって、前記開口縁部に等間隔に配設された４個の係合突起と、前記開口縁部の中心を基準に対称の位置であって、４個の前記係合突起に対する配置関係が、４個の前記係合溝に対する２個の前記挿入溝の配置関係に対応する位置に配設された２個の挿入突起とを備えるバルブと、
前記光源部と電気的に接続され、外部に露出する口金と
を備え、
２個の前記挿入突起のうちの少なくとも一方の前記挿入突起の幅は、前記係合溝の幅よりも大きいランプ。
【請求項８】
光源部と、
少なくとも部分的に筒状の周壁部を有し、前記光源部を前記周壁部の内側に配置するためのハウジングであって、前記周壁部の一端側の周縁部に等間隔に配設された４個の係合溝と、前記一端側の周縁部の中心を基準に対称の位置以外の位置に配設された２個の挿入溝とを備えるハウジングと、
前記ハウジング内に形成され、前記光源部が取り付けられる光源取付部と、
中空の外郭部と前記ハウジングの前記周縁部に対応する形状の開口縁部とを有し、前記ハウジングに嵌合されて前記光源部を被覆するためのバルブであって、前記開口縁部に等間隔に配設された４個の係合突起と、前記開口縁部の中心を基準に対称の位置以外の位置であって、２個の前記挿入溝の配置関係に対応する位置に配設された２個の挿入突起とを備えるバルブと、
前記光源部と電気的に接続され、外部に露出する口金と
を備えるランプ。
【請求項９】
前記係合溝は前記ハウジングと前記バルブとの掛止め用の溝であり、前記係合突起は前記ハウジングと前記バルブとの掛止め用の突起であり、前記挿入溝は前記ハウジングと前記バルブとの位置決め用の溝であり、前記挿入突起は前記ハウジングと前記バルブとの位置決め用の突起である請求項７または８に記載のランプ。
【請求項１０】
前記ハウジングは、絶縁材料により形成されている請求項７乃至９のいずれか一項に記載のランプ。
【請求項１１】
前記光源部と前記口金とに電気的に接続された電力変換回路を含む点灯装置をさらに備える請求項７乃至１０のいずれか一項に記載のランプ。
【請求項１２】
少なくとも部分的に筒状の周壁部を有し、光源部を前記周壁部の内側に配置するためのハウジングであって、前記周壁部の一端側の周縁部に等間隔に配設された４個の係合溝と、前記一端側の周縁部の中心を基準に対称の位置に配設された２個の挿入溝とを備えるハウジングを形成するステップと、
中空の外郭部と前記ハウジングの前記周縁部に対応する形状の開口縁部を有し、前記ハウジングに嵌合されて前記光源部を被覆するためのバルブであって、前記開口縁部に等間隔に配設された４個の係合突起と、前記開口縁部の中心を基準に対称の位置であって、４個の前記係合突起に対する配置関係が、４個の前記係合溝に対する２個の前記挿入溝の配置関係に対応する位置に配設された２個の挿入突起とを備えるバルブを形成するステップと
を含み、
２個の前記挿入突起のうちの少なくとも一方の前記挿入突起の幅が、前記係合溝の幅よりも大きくなるように、２個の前記挿入突起及び４個の前記係合溝が形成される、ランプ用のハウジング及びバルブの製造方法。
【請求項１３】
少なくとも部分的に筒状の周壁部を有し、光源部を前記周壁部の内側に配置するためのハウジングであって、前記周壁部の一端側の周縁部に等間隔に配設された４個の係合溝と、前記一端側の周縁部の中心を基準に対称の位置以外の位置に配設された２個の挿入溝とを備えるハウジングを形成するステップと、
中空の外郭部と前記ハウジングの前記周縁部に対応する形状の開口縁部を有し、前記ハウジングに嵌合されて前記光源部を被覆するためのバルブであって、前記開口縁部に等間隔に配設された４個の係合突起と、前記開口縁部の中心を基準に対称の位置以外の位置であって、２個の前記挿入溝の配置関係に対応する位置に配設された２個の挿入突起とを備えるバルブを形成するステップと
を含むランプ用のハウジング及びバルブの製造方法。